(57)【特許請求の範囲】
【請求項１】
ＣＤＭＡ信号におけるマルチ拡散率直交符号の符号パワー・レベルの表示装置であって、
符号インデックスが線形な順序であり、上記ＣＤＭＡ信号用の最大拡散率での被測定符号領域パワーを示す第１グラフを表示する手段と、
符号インデックスのビットを逆順した順序であり、低い拡散率符号のサブ符号が一緒のグループになるようにした、上記ＣＤＭＡ信号用の最大拡散率での被測定符号領域パワーを示す第２グラフを表示する手段と、
上記第２グラフにおける関連した上記サブ符号を示す指標を表示する手段と
を具えたＣＤＭＡ信号におけるマルチ拡散率直交符号の符号パワー・レベルの表示装置。
【請求項２】
上記レベルの指標は、上記サブ符号のグループにわたる幅の水平バーであることを特徴とする請求項１の表示装置。
【請求項３】
上記第１グラフのサブ符号インデックス番号及びサブ符号パワーのテキスト表示を行う手段と、上記第２グラフの拡散率、ベース符号インデックス番号及び総合ベース符号パワーのテキスト表示を行う手段とを更に具えた請求項１又は２の表示装置。
【請求項４】
上記第１及び第２グラフの各々にマーカを設け、一方のグラフにおける特定符号値への上記マーカの移動により、他方のグラフの上記マーカが対応する符号値に移動するように上記第１グラフのマーカを第２グラフのマーカに結合させる手段を更に具えた請求項１又は２の表示装置。
【請求項５】
ＣＤＭＡ信号におけるマルチ拡散率直交符号の符号パワー・レベルの表示方法であって、
符号インデックスが線形な順序であり、上記ＣＤＭＡ信号用の最大拡散率での被測定符号領域パワーを示す第１グラフを表示し、
符号インデックスのビットを逆順した順序であり、低い拡散率符号のサブ符号が一緒のグループになるようにした、上記ＣＤＭＡ信号用の最大拡散率での被測定符号領域パワーを示す第２グラフを表示し、
上記第２グラフにおける関連した上記サブ符号を示す指標を表示する
ことを特徴とするＣＤＭＡ信号におけるマルチ拡散率直交符号の符号パワー・レベルの表示方法。
【請求項６】
上記レベルの指標は、上記サブ符号のグループにわたる幅の水平バーであることを特徴とする請求項５の表示方法。
【請求項７】
上記第１グラフのサブ符号インデックス番号及びサブ符号パワーのテキスト表示と、上記第２グラフの拡散率、ベース符号インデックス番号及び総合ベース符号パワーのテキスト表示とを更に行うことを特徴とする請求項５又は６の表示方法。
【請求項８】
上記第１及び第２グラフの各々にマーカを設け、一方のグラフにおける特定符号値への上記マーカの移動により、他方のグラフの上記マーカが対応する符号値に移動するように上記第１グラフのマーカが第２グラフのマーカに結合していることを特徴とする請求項５又は６の表示方法。
【発明の詳細な説明】
【０００１】
【発明の属する技術分野】
本発明は、一般に、符号分割多元接続（ＣＤＭＡ：code division multiple access）信号の分析に関し、特に、ＣＤＭＡ信号におけるマルチ拡散率直交符号（multiple spreading factor orthogonal codes）の符号パワー・レベルの表示装置及び表示方法に関する。
【０００２】
【従来の技術】
直交符号（orthogonal code）を用いるＣＤＭＡ信号において、これら直交符号の総ては、長さ（length：拡散率（spreading factor）として知られている）が同じである。また、符号インデックス番号に対する各符号のパワーを２次元グラフで描くことにより、各符号におけるパワー量、即ち、符号領域パワー（ＣＤＰ：code domain power）を表示できる。この符号領域パワーのレベルを符号パワー・レベルと呼ぶ。ｃｄｍａ２０００の如き新しいＣＤＭＡシステムでは、拡散率が変化する、即ち、現在、異なる長さの符号を利用することを定めているが、ＣＤＰの表示が複雑になる。拡散率が最大の符号に適するＣＤＰグラフによって、特に拡散率が小さい符号を表示する際に、拡散率が大きい符号系との関係で決まる所定の距離にて、この小さな拡散率の符号がマルチ・サブ符号（multiplesub-code）に拡散される。すなわち、拡散率が１２８の符号グラフの表示において拡散率が１６の符号は、８インデックス間隔の８個のサブ符号を有する。このように、拡散率の大きい符号系の信号を分析する際に、拡散率の小さい符号（ベース符号と呼ぶ）を用いると、このとき拡散されて発生した多数符号をサブ符号と呼ぶ。また、拡散率の小さな符号の総合符号パワーは、個別のサブ符号のパワー・レベルによっては正確に指示できない。拡散率の値が異なる符号が存在するとき、これら拡散率によって、ＣＤＰの計算結果を解釈することが困難になる。
【０００３】
米国特許第６２１９３４０号は、異なる拡散率又は符号レイヤー（層）である直交符号のＣＤＭＡ信号に対するパワー・レベルを表示する一つの方法を記載している。この表示では、垂直バー（棒）を用いて、各アクティブ符号チャネルのパワー・レベルが表示され、このバーの幅によって、符号レイヤーでの各アクティブ符号チャネルがアクティブであることを示す。しかし、この表示は、サブ符号（sub-code）とベース符号（base code）との関係を強調しない。
【０００４】
【発明が解決しようとする課題】
ベース符号に対するサブ符号の関係を強調し、ベース符号の総合パワーを指示できるように、ＣＤＭＡ信号のマルチ拡散率直交符号の関係及び符号パワー・レベルを表示することが望まれている。
【０００５】
したがって、本発明は、ベース符号に対するサブ符号の関係を強調でき、ベース符号の総合パワーを指示できるように、ＣＤＭＡ信号におけるマルチ拡散率直交符号の符号パワー・レベルの表示装置と、その表示方法とを提供するものである。
【０００６】
【課題を解決するための手段】
本発明は、ＣＤＭＡ信号におけるマルチ拡散率直交符号の符号パワー・レベルの表示であって；  符号インデックスが線形な順序であり、最大拡散率での符号領域パワーを示す第１グラフ（１２）と；符号インデックスのビットを逆順した順序であり、低い拡散率符号のサブ符号が一緒のグループになるようにした、最大拡散率での符号領域パワーを示す第２グラフ（１４）とを具えている。
また、本発明は、ＣＤＭＡ信号におけるマルチ拡散率直交符号の符号パワー・レベルの表示方法であって；符号インデックスが線形な順序であり、最大拡散率での符号領域パワーを示す第１グラフ（１２）を表示し；符号インデックスのビットを逆順した順序であり、低い拡散率符号のサブ符号が一緒のグループになるようにした、最大拡散率での符号領域パワーを示す第２グラフ（１４）を表示することを特徴としている。
【０００７】
本発明は、２個の符号グラフを用いて、ＣＤＭＡ信号におけるマルチ拡散率直交符号の符号パワー・レベルの表示を行う。これら２個の符号グラフの一方は、最大拡散率用の従来のインデックス符号の線形な順序において、拡散率に関係なく、総ての符号チャネルを示している。また、これら２個の符号グラフの他方は、インデックス符号のビット逆順にした順序において、低い拡散率のサブ符号を一緒にグループ化している。これらグラフの一方の特定符号位置にマーカを配置し、他方のグラフにおいて対応するマーカを移動させて、対応する符号位置を示している。ベース符号パワーの指標（マーカ）は、ビット逆順符号グラフにおいて、水平バーの形式であり、このベース符号パワーを表すレベルで、ベース符号の拡散率を表すサブ符号にわたって延びている。このマーカで指示された符号バーに関連した複数の符号バーは、グレー・スケール又は色の変化などの何らかの方法で強調できる。
【０００８】
本発明の目的、利点及び新規な特徴は、添付図を参照した以下の詳細説明から更に明らかになろう。
【０００９】
【発明の実施の形態】
図１は、本発明による符号パワー・レベルの表示を示す図、即ち、表示器上の表示を示す。２個の符号グラフ１２及び１４が示されており、これらグラフの各々は、単一の拡散率（ＳＦ）信号用の従来の符号領域パワー（ＣＤＰ：code domain power）、即ち、符号パワーに類似している。なお、これらグラフの縦軸は、総合パワーに対するｄＢ（dB Relative to Total Power）を示す。ｃｄｍａ２０００の如き直交符号拡散用のウォルシュ（Walsh）符号又は類似の符号を用いる信号では、符号グラフ１２及び１４の両方を用いる。ＷＣＤＭＡの如き直交可変拡散率（ＯＶＳＦ：Orthogonal Variable Spreading Factor）を用いるシステムでは、わずか１つの伝統的な符号グラフ１２が必要である。両方の場合において、一方の符号グラフ１２は、符号インデックスの線形的な順序を用いるシステムの最大拡散率における総ての符号に対するＣＤＰの伝統的な図である。しかし、ｃｄｍａ２０００用のウォルシュ符号（Walsh Code）として示すグラフ１２は、ウォルシュ符号拡散により、低い拡散率の符号が種々の間隔で多数のサブ符号に分離されることを示している。
【００１０】
ｃｄｍａ２０００のように第１符号グラフ１２においてサブ符号が隣接していないので、必要ならば、他の符号グラフ１４により同じＣＤＰ情報を示す。しかし、第１符号グラフの符号インデックス番号を「ビット逆順（Bit-reversed）」にすることにより、符号パワー値の表示順序が逆の順序になる。例えば、拡散率（ＳＦ）が３２で、ベース符号が２９の場合、サブ符号は、第１符号グラフ１２において、２進［００１１１０１、０１１１１０１、１０１１１０１、１１１１１０１］に対応する６１、９３及び１２５である。これらサブ符号は、符号インデックスのビット逆順による順序で、第２符号グラフ１４、即ち、ビット逆順の符号グラフ１４において、９２、９４、９３及び９５に対応する２進［１０１１１００、１０１１１１０、１０１１１０１、１０１１１１１］となる。この順序変更により、ＳＦが低い符号のサブ符号は、第２符号グラフ１４において互いにグループ分けされる。ＣＤＰ表示のインデックス番号のビット逆順は、従来技術で周知のように、ウォルシュ符号インデックス化大系をＯＶＳＦインデックス化大系に変換することと等化である。ＯＶＳＦ符号を用いる信号にとって、サブ符号を整理することなく隣接するように一緒にグループ化されるので、ビット逆順の符号グラフ１４が必要ない。
【００１１】
ＳＦの低い単一の符号に属すると識別されたサブ符号の各グループにとって、その符号グループの総合パワー表示も、第２符号グラフ１４内で行われる。この表示を行うには、ベース符号の総合パワーのレベルにて、水平バー（指標）１６を示す。このバー１６の幅は、総ての関連したサブ符号のインデックスに及び、ベース符号の拡散率の逆数に関連した「幅」を示す。その符号の低い拡散率に対応するベース符号がより多くのサブ符号を用いることを、幅の広いバーが示す。個別のサブ符号は、公称値の近くで変化できるが、符号パワー自体が変化しなければ、総合ベース符号パワーは、一定に維持される。バー１６の変動に対しては、その端部に垂直チック・マーク（tic mark）１８を付けることにより、サブ符号が含まれる範囲を強調する。これらチック・マーク１８は、水平バー１６の上及び／又は下に延びてもよい。
【００１２】
２個の符号グラフ１２及び１４を用いるウォルシュ符号にとって、線形的なインデックス符号順序での符号と、インデックス符号のビット逆順での符号との関係は、三角形で示すマーカ２０により指示される。これらマーカ２０は、各グラフにおける特定のデータ・バー（データを表す棒）２２に配置できる。符号グラフ１２及び１４の一方のマーカ２０が特定のデータ・バー２２に配置されると、符号グラフ１２及び１４の他方のマーカは、ビット逆順のインデックスにより、自動的に対応するデータ・バーに移動する。すなわち、６１の線形的な符号インデックスは、９４のビット逆順符号となり、逆も同様である。マーカ２０により指示されたデータ・バーに関連した特定の符号チャネルに関連した符号は、符号グラフ１２及び１４の両方において、グレー・スケール又は色の変更によって強調できる。テキスト表示部（リードアウト部）２４は、第１符号グラフ１２におけるマーカ２０に対応するサブ符号、即ち、「ドーター（Daughter）」インデックス番号（６１）と、サブ符号パワー（Power: -3.4dB）を示している。また、テキスト表示部２６は、ビット逆順グラフ１４における拡散率（ＳＦ）（３２）、ベース符号、即ち、「マザー（Mother）」符号インデックス番号（２９）、及び総合ベース符号パワー（Power: -2.5dB）を示している。関連したスクリーン・ノブを用いてタッチ及びドラッグのいずれかで特定の符号グラフに接触し、マーカを移動させて、又は、ソフト・キーボードなどを用いて特定の符号バーを入力することにより、符号グラフ１２及び１４のいずれかで任意のデータ・バーにマーカ２０を移動させることができる。図１におけるその他の表示は、疑似ランダム・ノイズのオフセット（PN Offset）が４２１であること、被試験の対象（Type）がTrafficであること、シンボル・レート（Symbol Rate）が38.4Kspsであること、選択された測定項目（Select Measurement...）がＣＤＭＡ符号領域パワー（CDMA Code Domain Power）であること、周波数（Freq）が100.0050MHzであることなどを示すが、本発明に関係ないので、説明を省略する。
【００１３】
図２及び図３は、本発明により、図１に示すような符号パワー・レベルの表示を行うシステムのブロック図である。復調器３０は、ＣＤＭＡ信号をベースバンドに復調し、疑似ランダム・ノイズ（ＰＮ：pseudo-random noise）逆拡散器（despreader）３２は、復調したベースバンドの逆拡散（despread）を行う。この結果の複合（combined）ベースバンドＣＤＭＡ信号を符号領域パワー（ＣＤＰ：code domain power）分析器３４に入力する。この符号領域パワー分析器３４には、特定の通信ネットワーク用の最大及び最小の拡散率、例えば、１２８及び４も入力する。符号領域パワー（ＣＤＰ）分析器３４は、複合ベースバンドＣＤＭＡ信号を対応する拡散率信号ＣＤＰSF(MAX)〜ＣＤＰSF(MIN)に分割する。これら拡散率信号ＣＤＰSF(MAX)〜ＣＤＰSF(MIN)は、ＣＤＰ選択器３６及び拡散率検出器３８に入力する。拡散率検出器３８は、各符号値に関連した拡散率を決定する。これら拡散率（ＳＦ）は、ＣＤＰ選択器３６用の選択信号として作用する。ＣＤＰ選択器３６の出力信号は、複合ＣＤＰ信号ＣＤＰCOMBである。なお、図２の信号線の記号［］は、図３の対応する記号線に接続されることを示す。
【００１４】
最大拡散率信号ＣＤＰSF(MAX)が垂直バー描画プロセッサ４０に供給される。このプロセッサ４０は、インデックス符号が線形順であるグラフ１２用の符号バーを表示するための信号を発生する。この信号により、表示器のグラフ１２に符号バーが表示される。また、最大拡散率信号ＣＤＰSF(MAX)は、ビット逆順インデックス回路（indexer：索引作成回路）４２により、インデックスのビット順序が逆にされて、別の垂直バー描画プロセッサ４４に供給される。この描画プロセッサ４４は、ビット逆順符号グラフ１４用の符号バーを表示器に表示するための信号を発生する。さらに、最大拡散率信号ＣＤＰSF(MAX)は、マーカ・プロセッサ４６にも供給される。水平バー描画プロセッサ５０には、ビット逆順インデックス回路４８を介して、インデックスのビット順が逆にされた複合ＣＤＰ信号ＣＤＰCOMBが供給されると共に、拡散率信号ＳＦが直接供給される。この水平バー描画プロセッサ５０は、特定の拡散率に関連したサブ符号の範囲にわたって、ビット逆順符号グラフ１４用のベース符号パワーの水平指標１６を表示器に表示するための信号を発生する。また、複合ＣＤＰ信号ＣＤＰCOMB及び拡散率信号ＳＦは、マーカ・プロセッサ４６に供給される。マーカ・プロセッサ４６は、マーカ・インデックス制御信号に基づいて、文字数字のリードアウト（表示）２４及び２６のための信号を発生すると共に、マーカ描画プロセッサ５２及び５４用の信号（ビット逆順グラフ１４用のマーカ・インデックス制御信号及びウォルシュ・グラフ１２用のマーカ・インデックス制御信号）を発生する。マーカ描画プロセッサ５２及び５４は、これらマーカ・インデックス制御信号に応じて、符号グラフ１２及び１４でマーカ２０を表示するための信号を表示器に供給する。なお、これらマーカは、符号グラフ１２及び１４の各々で、特定の符号バーとして識別された符号バーを識別するための信号である。
【００１５】
【発明の効果】
よって、本発明は、インデックス順序が線形順である符号グラフとビット逆順の符号グラフとにおいて、拡散する直交符号に対して用いる符号の符号領域パワー（ＣＤＰ）を表示し、低い拡散率のベース符号の総合符号パワーを隣接してグループ化するサブ符号用の指標を表示し、同じ符号パワー値が配置された２個の符号グラフに夫々表示されたマーカをリンクすることにより、ＣＤＭＡ信号におけるマルチ拡散率直交符号の関係及び符号パワー・レベルの表示を提供している。よって、ベース符号に対するサブ符号の関係を強調でき、ベース符号の総合パワーを指示できる
【図面の簡単な説明】
【図１】本発明による符号パワー・レベルの表示を示す図である。
【図２】本発明により符号パワー・レベルを表示するシステムのブロック図の一部である。
【図３】本発明により符号パワー・レベルを表示するシステムのブロック図の他の一部である。
【符号の説明】
１２、１４  符号グラフ
１６  水平バー（指標）
１８  垂直チック・マーク
２０  マーカ
２２  データ・バー
２４、２６  テキスト表示部
３０  復調器
３２  ＰＮ逆拡散器
３４  ＣＤＰ分析器
３６  ＣＤＰ選択器
３８  拡散率検出器
４０  垂直バー描画プロセッサ
４２  ビット逆順インデックス回路
４４  垂直バー描画プロセッサ
４６  マーカ・プロセッサ
４８  ビット反転インデックス回路
５０  水平バー描画プロセッサ
５２、５４  マーカ描画プロセッサ
【図１】
0003950377.tif 000002
【図２】
0003950377.tif 000003
【図３】
0003950377.tif 000004